(57)【特許請求の範囲】
【請求項１】
ケーブル・タイ・ツール（１２）のツール・ハンドル（２２）に接続された張力と抗反跳の機構（１０）であって、前記ツール・ハンドル（２２）が外筒（２７）とそこから垂下するグリップ（２５）を有し、
内部の引き棒（９２）の経線方向移動のための内部経線方向通路を有し、前記外筒（２７）の中で経線方向に移動するように前記外筒（２７）に支持され、上方向に開口した経線方向の送り溝（７２）を有するワンピース型のカッター・アクチュエータ（７０）と、
前記外筒（２７）内に支持されてかつそれに相対して経線方向に固定され、前記カッター・アクチュエータ（７０）に連結されてかつ前記カッター・アクチュエータ（７０）の前端部と後端部の間で外向きに配置され、前記外筒（２７）に相対した前記カッター・アクチュエータ（７０）の経線方向の移動に抵抗するように保持力を横断方向で前記カッター・アクチュエータ（７０）に加える張力制限機構（１７７，１６４）とを含み、
前記カッター・アクチュエータ（７０）が前端部と後端部および十分な経線方向の寸法を有し、それにより、前記カッター・アクチュエータ（７０）の前記前端部と後端部の間にブレード・スプリング（１８６）全体が経線方向に配置されるように前記保持力を供給するための前記張力制限機構（１７７，１６４）の前記ブレード・スプリング（１８６）が前記カッター・アクチュエータ（７０）に相対して配置されることが可能となる張力と抗反跳の機構（１０）。
【請求項２】
前記送り溝（７２）が内部に止めワッシャ（９４，９６）を支持するようにサイズ決定され、前記止めワッシャ（９４，９６）が、前記引き棒（９２）が通って延びる中央開口部を有し、前記止めワッシャ（９４，９６）が、前記カッター・アクチュエータ（７０）に相対した前記引き棒（９２）の移動を可能にする開放位置へと可動性であり、前記止めワッシャ（９４，９６）がさらに、前記カッター・アクチュエータ（７０）に相対した移動を阻止するように前記引き棒（９２）に係合する止め位置へと可動性である、請求項１に記載の張力と抗反跳の機構（１０）。
【請求項３】
ケーブル・タイ・ツール（１２）のツール・ハンドル（２２）に接続された張力と抗反跳の機構（１０）であって、前記ツール・ハンドル（２２）が外筒（２７）とそこから垂下するグリップ（２５）を有し、
引き棒（９２）と、
前記引き棒（９２）が通路を通って経線方向に移動するように支持される内部の経線方向の前記通路を有し、前記外筒（２７）の中に経線方向に移動するように支持されるカッター・アクチュエータ（７０）と、
前記通路の中で前記通路に対して直角の関係となった開放位置と前記通路の中で前記通路に対して傾いた関係となった止め位置との間で枢動させられることが可能となるように前記カッター・アクチュエータ（７０）によって運ばれる止めワッシャ（９４，９６）であって、前記開放位置で前記引き棒（９２）が前記止めワッシャ（９４，９６）を通って移動可能となるように前記引き棒（９２）が通って延びる開口を有し、前記止め位置（９４，９６）にあるときは前記止めワッシャ（９４，９６）を通る移動を阻止するように前記引き棒（９２）を摩擦で係止し、前記カッター・アクチュエータ（７０）が前記外筒（２７）に相対して後方に動かされると前記止め位置へと枢動させられる前記止めワッシャ（９４，９６）と、
前記カッター・アクチュエータ（７０）の外側に同軸の関係で配置され、前記開放位置にあるときに前記止めワッシャ（９４，９６）が隣接する表面を提供するように前記止めワッシャ（９４，９６）に相対して経線方向で位置決めされる前部リング（８５）とを含み、
前記カッター・アクチュエータ（７０）が前端部と後端部および十分な経線方向の寸法を有し、それにより、前記カッター・アクチュエータ（７０）の前記前端部と後端部の間にブレード・スプリング（１８６）全体が経線方向に配置されるように前記保持力を供給するための前記張力制限機構の前記ブレード・スプリング（１８６）が前記カッター・アクチュエータ（７０）に相対して配置されることが可能となる張力と抗反跳の機構（１０）。
【請求項４】
ケーブル・タイ・ツール（１２）のツール・ハンドル（２２）に接続された張力と抗反跳の機構（１０）であって、前記ツール・ハンドル（２２）が外筒（２７）とそこから垂下するグリップ（２５）を有し、
前記外筒（２７）の中に経線方向に移動するように支持されるカッター・アクチュエータ（７０）と、
前記カッター・アクチュエータ（７０）に対して経線方向の関係で前記ツール・ハンドル（２２）に固定される一方の端部を有し、前記外筒（２７）に相対した前記カッター・アクチュエータ（７０）の経線方向の移動を妨害するように前記カッター・アクチュエータ（７０）の外側表面に係合する他方の可動性の端部を有し、前記カッター・アクチュエータ（７０）に相対して横断方向で前記カッター・アクチュエータ（７０）から離れる方向に偏向を受けることで前記カッター・アクチュエータ（７０）との係合を解除し、それにより前記外筒（２７）に相対した前記カッター・アクチュエータ（７０）の経線方向の移動を可能にし、前記カッター・アクチュエータ（７０）に対して限度未満の経線方向の力が加えられているときに前記カッター・アクチュエータ（７０）からの前記係合解除を防止するための十分な剛性を有し、前記カッター・アクチュエータ（７０）に対して前記限度を超える経線方向の力が加えられると前記カッター・アクチュエータ（７０）からの前記係合解除を可能にするように前記カッター・アクチュエータ（７０）から離れる前記横断方向の偏向を可能にするための十分な柔軟性を有する細長のブレード・スプリング（１８６）とを含み、
前記ブレード・スプリング（１８６）に接続された制御リング（２０９）をさらに含み、前記制御リング（２０９）が前記ブレード・スプリング（１８６）にその前記端部間で力を加え、それにより、前記制御リング（２０９）とブレード・スプリング（１８６）の間の係合が、前記ブレード・スプリング（１８６）の前記可動性の端部が偏向する支点を提供し、前記制御リング（２０９）が、その前記剛性およびそれに対応する前記カッター・アクチュエータ（７０）に加えられる力であってそれ以上では前記外筒（２７）に相対した経線方向の移動が生じる経線方向の力の前記限度を変えるために前記ブレード・スプリング（１８６）に相対した前記支点の経線方向の移動を提供する、張力と抗反跳の機構（１０）。
【請求項５】
前記カッター・アクチュエータ（７０）の外部に同軸の関係で配置された調節器グリップ（５０）をさらに含み、前記調節器グリップ（５０）が、前記調節器グリップ（５０）の経線方向の周りでの回転が前記ブレード・スプリング（１８６）に相対した前記制御リング（２０９）の経線方向の移動を生じさせて前記ブレード・スプリング（１８６）に相対した前記支点の前記経線方向の移動を作り出すように前記制御リング（２０９）に連結される螺旋形の溝を有する、請求項４に記載の張力と抗反跳の機構（１０）。
【請求項６】
前記外筒（２７）部分の中に支持され、かつそれに相対して経線方向で固定される調節器グリップ（５０）と、
前記調節器グリップ（５０）内に経線方向の移動のために同軸の関係で支持されるカッター・アクチュエータ（７０）と、
前記調節器グリップ（５０）に相対した前記カッター・アクチュエータ（７０）の後ろ方向への経線方向の移動に抵抗するように前記カッター・アクチュエータ（７０）および調節器グリップ（５０）に接続されるカッター・アクチュエータ・バネ（９０）とを含む請求項５に記載の張力と抗反跳の機構（１０）。
【請求項７】
前記カッター・アクチュエータ・バネ（９０）が前記カッター・アクチュエータ（７０）および調節器グリップ（５０）に対して同軸の関係を有するコイルバネであり、前記カッター・アクチュエータ・バネ（９０）が前記調節器グリップ（５０）の中でかつ前記カッター・アクチュエータ（７０）の外に配置される、請求項６に記載の張力と抗反跳の機構（１０）。
【請求項８】
ケーブル・タイ・ツール（１２）のツール・ハンドル（２２ｂ）に接続された張力と抗反跳の機構（１０ｂ）であって、前記ツール・ハンドル（２２ｂ）が外筒（２７ｂ）とそこから垂下するグリップ（２５ｂ）を有し、
前記外筒（２７ｂ）の中に経線方向に移動するように支持されるカッター・アクチュエータ（７０ｂ）と、
前記カッター・アクチュエータ（７０ｂ）に対して経線方向の関係で前記ツール・ハンドル（２２ｂ）に固定される一方の端部を有し、前記外筒（２７ｂ）に相対した前記カッター・アクチュエータ（７０ｂ）の経線方向の移動を妨害するように前記カッター・アクチュエータ（７０ｂ）の外側表面に係合する他方の可動性の端部を有し、前記カッター・アクチュエータ（７０ｂ）に相対して横断方向で前記カッター・アクチュエータ（７０ｂ）から離れる方向に偏向を受けることで前記カッター・アクチュエータ（７０ｂ）との係合を解除し、それにより前記外筒（２７ｂ）に相対した前記カッター・アクチュエータ（７０ｂ）の経線方向の移動を可能にし、前記カッター・アクチュエータ（７０ｂ）に対して限度未満の経線方向の力が加えられているときに前記カッター・アクチュエータ（７０ｂ）からの前記係合解除を防止するための十分な剛性を有し、前記カッター・アクチュエータ（７０ｂ）に対して前記限度を超える経線方向の力が加えられると前記カッター・アクチュエータ（７０ｂ）からの前記係合解除を可能にするように前記カッター・アクチュエータ（７０ｂ）から離れる前記横断方向の偏向を可能にするための十分な柔軟性を有する細長のリーフ・スプリング（２３２）と、
前記リーフ・スプリング（２３２）に傾斜して接続されたアーチ型の部材（２３４）であって、前記アーチ型部材（２７ｂ）とリーフ・スプリング（２３２）の間の係合が、前記リーフ・スプリング（２３２）の前記可動性の端部が偏向する支点を提供するように前記端部間で前記リーフ・スプリング（２３２）に力を加え、前記剛性およびそれに対応する前記カッター・アクチュエータ（７０ｂ）に加えられる力であってそれ以上では前記外筒（２７ｂ）に相対した経線方向の移動が生じる経線方向の力の前記限度を変えるために前記リーフ・スプリング（２３２）に相対した前記支点の経線方向の移動を提供するアーチ型部材（２３４）と、
リング（２３６）の回転が前記リーフ・スプリング（２３２）に相対した前記支点の前記経線方向の移動を提供するように前記アーチ型部材（２３４）が固定される前記リング（２３６）とを含む張力と抗反跳の機構（１０ｂ）。
【発明の詳細な説明】
【技術分野】
【０００１】
本発明は、概して、ケーブル・タイ・ツールに関する張力および抗反跳機構に関し、より詳細には、ツールによってケーブル・タイに加えられる張力を制限するため、およびケーブル・タイが切断されるときのツールの反跳を制限するためのそのような機構に関する。
【背景技術】
【０００２】
ケーブル・タイは電線またはケーブルといった物品の集合を束ねて締め付けるために使用される。従来式の構造のケーブル・タイはケーブル・タイ・ヘッドおよびそこから延びる細長ストラップを有する。ストラップは物品の束の周囲に巻かれ、その後、ヘッドの通路を通して挿入される。ケーブル・タイのヘッドは通常、ヘッドの通路の中に延びるロック用素子を担持しており、ストラップが通路を通って挿入されるのを可能にするが、ヘッド内の通路を通じたストラップの引き戻しを阻止する。それにより、ストラップの２つの経線方向に分かれた部分がヘッドへと締め付けられることで物品の集合を一体に保持するためのループを規定する。
【０００３】
使用時では、束ねられる物品の周りに取り付け作業者が手作業でタイを設置し、ヘッドの通路を通してストラップを挿入し、その後、手作業で束の周りのタイを締め付ける。ストラップの張力を増大させるさらなるケーブル・タイの締め付けはケーブル・タイ・ツールによって提供されることが可能である。
【特許文献１】「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願
【特許文献２】米国特許第５，９１５，４２５号
【特許文献３】米国特許出願番号１０／６１４，４３５号
【特許文献４】米国特許出願番号２９／１８５，９８５号
【特許文献５】米国特許出願番号２９／１８５，９８６号
【特許文献６】米国特許仮出願番号６０／５４４，３６１号
【特許文献７】米国特許仮出願番号６０／５４４，３６２号
【特許文献８】米国特許仮出願番号６０／５４４，４７２号
【特許文献９】「Ｃｙｃｌｅ  Ｃｏｕｎｔｅｒ  ｆｏｒ  Ｃａｂｌｅ  Ｔｉｅ  Ｔｏｏｌ」という名称の米国特許出願
【発明の開示】
【発明が解決しようとする課題】
【０００４】
１つのタイプのそのようなケーブル・タイ・ツールは、概してピストル形状であるハウジングを有し、このハウジングは張力の適用のためにストラップが挿入され得る外筒を有する。ハウジングは外筒から垂下するグリップを有する。このケーブル・タイ・ツールは、ケーブル・タイのストラップに加えられる張力を制限するため、および最大張力がストラップに加えられるとケーブル・タイのストラップを切断するための機構を有することが可能である。ストラップのそのような切断は結果として使用者の手に反跳力が加えられることにつながる可能性がある。この反跳力の大きさはケーブル・タイ・ツールの中の機構によって制限されることが可能である。ケーブル・タイのストラップに加えられる張力を制限するため、および反跳力を制限するためのそのような機構はケーブル・タイ・ツール複雑さとサイズを増大させる可能性がある。
【課題を解決するための手段】
【０００５】
本発明の張力と抗反跳の機構はケーブル・タイ・ツールの中に組み入れられる。この張力と抗反跳の機構はツールによってケーブル・タイに加えられる張力を制限するため、およびケーブル・タイが切断されるときのツールの反跳を制限する。
【０００６】
張力と抗反跳の機構が組み入れられるケーブル・タイ・ツールはまた、外筒およびそこから垂下するグリップを設けられたツール・ハンドルも有する。張力と抗反跳の機構は外筒の中に支えられる調節器グリップを有する。
【０００７】
ワンピースのカッター・アクチュエータが調節器グリップ内で外筒に相対して経線方向に移動するように支持される。カッター・アクチュエータは多数の部品に連結されて支えを提供する。カッター・アクチュエータのワンピース構造は、そのような連結と支えが方向付けられる単一部材を提供し、したがって張力と抗反跳の機構の組み立てと解体を単純化する。
【０００８】
張力制限機構は保持力をカッター・アクチュエータに対抗して方向付けることで外筒に相対するその経線方向の移動に抵抗する。この保持力は、カッター・アクチュエータの前端部と後端部の間に経線方向に配置された一対のブレード・スプリングによって供給される。カッター・アクチュエータの前端部と後端部の間のブレード・スプリングの経線方向の配置は、カッター・アクチュエータが設置される経線方向の部分がブレード・スプリング用の場所もやはり提供するのでツールのヘッドの経線方向の小型化を容易にする。張力制限機構はブレード・スプリングの支点の経線方向の移動を提供し、それによって保持力の調節を可能にする。
【０００９】
カッター・アクチュエータは送り溝、および引き棒が通って延びる経線方向の通路を有する。送り溝の中でカッター・アクチュエータによって支持されている物は少なくとも１つの止めワッシャである。この止めワッシャはカッター・アクチュエータに相対した引き棒の移動を許容する開放位置と、そのような相対的移動を阻止する止め位置の間で可動である。開放位置にあるとき、止めワッシャは前部リングに対して境界を接する。前部リングは調節器グリップの中に配置される。これは、前部リングが調節器グリップの中にあるカッター・アクチュエータによる張力と抗反跳の機構からの分離から守られるので、ケーブル・タイ・ツールから切り離した張力と抗反跳の機構の組み立ておよび取り扱いを容易にする。ツール・ハンドルからの張力と抗反跳の機構の取り外しといった部分的解体時でさえカッター・アクチュエータは通常は調節器グリップの中に留まる。
【００１０】
カッター・アクチュエータのバネは、調節器グリップに相対して後ろ方向へのカッター・アクチュエータの経線方向の移動に逆らう。カッター・アクチュエータのバネは調節器グリップに対する後方へのカッター・アクチュエータの縦方向変位に耐えられる。調節器グリップとカッター・アクチュエータの間のカッター・アクチュエータ・バネの配置は、バネが張力と抗反跳の機構の中に含まれ、したがって張力と抗反跳の機構と共にツール・ハンドルに組み付けられるのでケーブル・タイ・ツールへのバネの組み付けを容易にする。したがって、カッター・アクチュエータ・バネは、張力と抗反跳の機構から切り離してツール・ハンドルのようなケーブル・タイ・ツールの一部に組み付けられることを必要とされることがない。
【００１１】
本発明のこれら、およびその他の特徴は添付の図面と一体化して為される本発明の特定の実施形態のための下記の説明からさらに十分に理解されるであろう。
【発明を実施するための最良の形態】
【００１２】
複数図面のいくつかの図全体を通して、対応する参照文字は対応する部品を示す。
図面、さらに特定して図１から５を参照すると、張力と抗反跳の機構１０はストラップ１７とヘッド２０を有するケーブル・タイ１５をワイヤまたはケーブルといった物品の束に締め付けるためのケーブル・タイ・ツール１２の中に示されている。張力と抗反跳の機構１０はツール・ハンドル２２を備えて使用され、それらは一体になってケーブル・タイ・ツール１２を構成する。図６および７に示された張力と抗反跳の機構１０はモジュール組み立て品であり、ツール・ハンドル２２からユニットとして取り外されることが可能であり、ツールのヘッドと称されることが可能である。そのようなモジュール組み立て品である張力と抗反跳の機構１０の範例は、本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｌｄｉｎｇを有し、代理人整理番号５７７−６０９で特定される「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願に開示されている。しかしながら、機構１０がツール・ハンドル２２から容易に取り外し可能ではない別の選択肢のケーブル・タイ・ツール１５の実施形態に張力と抗反跳の機構１０が含まれ得ることは理解されるであろう。
【００１３】
ツール・ハンドル２２はピストル形状を有し、外筒２７から垂下するグリップ２５、および経線方向の中心面３０を有する。ツール・ハンドル２２は一対のラッチ機構３２を有し、それらの各々が外筒２７と一体化している。ラッチ機構３２の範例は、本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｌｄｉｎｇを有し、代理人整理番号５７７−６０９で特定される「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願に開示されている。
【００１４】
ツール・ハンドル２２はピボット式に支持された引き金機構３５を有する。引き金機構３５は連接棒３７を有し、その下端部は図６に示されるように、概して下端部に隣接する横軸ピン３９によってグリップ２５内でピボット式に支持される。連接棒３７は図６および７に示されるように、概して中心面３０に含まれる経線方向の軸４１を有する。ピン３９によって提供されるピボット接続は、方向４３、４５でそれぞれ開および閉にそれぞれ向けて連接棒３７の枢動を可能にする。連接棒３７の上側部分は外筒２７の中へ延びる。連接棒３７の上側部分は張力と抗反跳の機構１０に結合するための移動止め４７を有する。引き金機構３５の範例は、本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｌｄｉｎｇを有し、代理人整理番号５７７−６０９で特定される「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願に開示されている。
【００１５】
張力と抗反跳の機構１０は外筒２７の前部に同軸の関係で支持された管状部材によって規定される調節器グリップ５０を有する。調節器グリップ５０が外筒２７の中に十分に挿入されると、調節器グリップ５０はその経線方向の軸の周りを外筒に相対して回されることが可能である。調節器グリップ５０の外側表面は外径が前方で減少するテーパー付き前方部分５２、および環状の後方部分５４を有する。後方部分５４は前方部分５２に隣接する外側表面に環状の凹部５５を有する。後方部分５４の環状凹部５５の後方に向かって一対の螺旋溝５６、５８がある。
【００１６】
調節器グリップ５０は同軸の関係で経線方向の通路６１を有する。経線方向の通路６１は前部、中間部、および後部６３、６５、６７を有し、それらの各々が円形の断面を有する。それぞれの部分６３、６５、６７各々の断面の寸法は経線方向で一定である。中間部６５の断面の寸法は前部および後部６３、６７の断面の寸法よりも小さい。中間部と後部６５、６７は内方向に延びるカラー部分６６によって経線方向に隔てられる。
【００１７】
張力と抗反跳の機構１０は図９に示されたカッター・アクチュエータ７０を有する。カッター・アクチュエータ７０は細長のワンピース構造である。カッター・アクチュエータ７０は図６に示されるように、同軸の関係で調節器グリップ５０の通路６１の中に支持される。カッター・アクチュエータ７０はその経線方向軸の周りで調節器グリップ５０に相対して回転可能である。その結果、調節器グリップ５０に相対したカッター・アクチュエータ７０の角度位置は変えられることが可能である。
【００１８】
カッター・アクチュエータ７０は概してＵ字型断面を備えた送り溝７２を有する。キー窓７４が送り溝７２の一方の側を通って、概して送り溝の後部に隣接するカッター・アクチュエータ７０の外側表面へと延びる。キー窓７４は概して四角形である。送り溝７２の床面は経線方向の床面溝７５を有する。横の同軸カッター通路７６が、送り溝７２の概して前部に隣接するそれぞれの側部を通って延びる。
【００１９】
カッター・アクチュエータ７０の、送り溝７２の後部に向かう部分は円筒形の後部７９を構成する。後部７９の後端は経線方向のスプライン８１、およびそれらの間の経線方向の凹部を有する。好ましい実施形態では、後部７９は８本のスプラインと、したがって８本の経線方向凹部を有する。円形の断面を有する経線方向の通路８３が後部７９の全長を通って連続的に延びる。
【００２０】
張力と抗反跳の機構１０は調節器グリップ５０と同軸の関係にある前部リング８５を有する。前部リング８５は図６に示されるように調節器グリップ５０の前部６３の中に配置される。前部リング８５は圧入によって調節器グリップ５０へと接続され、それにより、調節器グリップの回転がそれに対応する前部リングの回転を作り出す。前部リング８５はその内側表面上に環状の凹部８６を有する。
【００２１】
張力と抗反跳の機構１０はカッター・アクチュエータ７０の後部７９と同軸の関係にある中間部リング８７を有する。中間部リング８７は、図６に示されるように調節器グリップ５０の中間部の中で前部リング８５の後部に向けて配置される。中間部リング８７はスナップ嵌合によってカッター・アクチュエータ７０へと接続され、それにより、カッター・アクチュエータの回転がそれに対応する中間部リングの回転を作り出す。中間部リング８７は、図９に示されるようにその前端部から後方へと延びるアーチ形のギャップ８８を有する。
【００２２】
張力と抗反跳の機構１０は、図６に示されるように調節器グリップ５０の中間部６５の中に配置されたコイルバネによって構成されるカッター・アクチュエータ・バネ９０を有する。カッター・アクチュエータ・バネ９０はカッター・アクチュエータ７０の後部７９と同軸の関係にある。カッター・アクチュエータ・バネ９０は中間部リング８７とカラー部６６の間で圧縮される。したがって、カッター・アクチュエータ・バネ９０は調節器グリップ５０に相対するカッター・アクチュエータ７０の後方への移動に抵抗する。
【００２３】
張力と抗反跳の機構１０は、図６に示されるようにカッター・アクチュエータ７０内で通路８３と送り溝７２を通って延びる引き棒９２を有する。引き棒９２のそのような延長は、カッター・アクチュエータ７０に相対した引き棒の経線方向平行移動を可能にするように引き棒、通路、および送り溝の間の十分な隙間を提供する通路８３と送り溝７２の十分に大きな断面積によって与えられる。
【００２４】
張力と抗反跳の機構１０は一対の止めワッシャ９４、９６を有する。止めワッシャ９４、９６の各々は開口１０２、１０４を備えたそれぞれの平板状の中央部分９８、１００を有するワンピース構造である。止めワッシャ９４、９６の各々はそれぞれの中央部分９８、１００の対向する側部エッジから横方向に延びるそれぞれのキー１０６、１０８を有する。止めワッシャ９４、９６の各々は、概してそれと直角の関係にあって中央部分９８、１００の上側および下側のエッジから延びるリップ１１０、１１２を有する。
【００２５】
止めワッシャ９４、９６は、概してその後部に隣接するカッター・アクチュエータ７０の送り溝７２内に配置され、それにより、中央部分９８、１００が互いに隣接し、かつ前部の止めワッシャとなる止めワッシャ９４と後部の止めワッシャとなる止めワッシャ９６を確立する。そのような隣接の関係は、前部の止めワッシャ９４をそのリップ１１０が前方を向くように配向させ、後部の止めワッシャ９６をそのリップ１１２が後方を向くように配向させることによって提供される。前部および後部の止めワッシャ９４、９６はキー窓７４を通るキー１０６、１０８の延長を提供する。キー１０６、１０８はカッター・アクチュエータ８２の外側表面を横切って越えて延びるように各々サイズ決定される。
【００２６】
前部および後部の止めワッシャ９４、９６の開口１０２、１０４は、引き棒９２がそれを通って延びることを可能にし、かつ中央部分９８、１００がカッター・アクチュエータ７０の経線方向軸に対して直角であるときに止めワッシャに相対した引き棒の経線方向の平行移動を可能にするように十分に大きい。中央部分９８、１００のこの直角の配向は前部および後部の止めワッシャ９４、９６の開放の位置１１４、１１６を規定する。
【００２７】
キー１０６、１０８は、カッター・アクチュエータ７０が調節器グリップ５０の中へと前方向に平行移動するとキー窓７４の後部エッジが後部止めワッシャ９６のキー１０８に係合し、それによってその中央部分１００を平行移動させて前部止めワッシャ９４の中央部分９８と係合させるように十分な半径寸法を有する。カッター・アクチュエータ７０のそのような前方向の挿入を続けると前部止めワッシャ９４のキー１０６の外側部分が前部リング８５の後端部に向けて押し付けられ、結果として前部および後部の止めワッシャ９４、９６がキー窓７４の周りで開放の位置１１４、１１６へと枢動させられることにつながる。
【００２８】
止めワッシャ９４、９６は図７に示されるように中間部リング８７の前部に向けて経線方向に位置決めされる。止めワッシャ９４、９６のキー１０６、１０８は中間部リング８７のギャップ８８の中に配置される。
【００２９】
張力と抗反跳の機構１０はツメ保持器１２１を含むツメ組み立て体１１９を有する。ツメ保持器１２１は、図７および９に示されるように引き棒９２の前端部が通って延びる開口を備えた後面を有する。ツメ保持器１２１の後面の前方にある引き棒９２の端部を通って横断ピン１２２が延びる。これは結果として、引き棒９２の後方への平行移動がそれに対応するツメ保持器１２１の後方への平行移動を生じさせることにつながる。ツメ保持器１２１の後部に向いた引き棒９２の部分は、図６に示されるように引き棒が通って延びるツメ保持器１２１内の開口よりも大きい外径を有する。これは結果として、引き棒９２の前方への平行移動がそれに対応するツメ保持器１２１の前方への移動を生じさせることにつながる。
【００３０】
ツメ組み立て体１１９は、ツメ保持器の対向する側部に横断方向と経線方向で固定される横断ピン１２５によってツメ保持器１２１の中にピボット式に支持されるツメ・グリップ１２４を有する。歯１２７が下方向でかつツメ保持器１２１の係合面１２９から離れる後ろ方向に枢動させられる開位置と、歯１２７が上方でかつ係合面に向かう前方向に枢動させられる閉位置の間でツメ・グリップ１２４が枢動し、それによって間にストラップをクランプして掴み、それにより、ストラップを経線方向でツメ組み立て体１１９に固定する。ツメ組み立て体１１９は、ツメ・グリップを閉位置へと枢動させるように推進するためにツメ・グリップ１２４とツメ保持器１２１の間で圧縮されるツメ用バネを有する。ツメ・グリップ１２４を開位置へと枢動させ、その後、閉位置へと枢動させるための機構の範例は米国特許第５，９１５，４２５号の８欄３行目から１９行目、および図７、７ａおよび７ｂに開示されている。ツメ・グリップ１２４の歯１２７は、ストラップ１７に相対したツメ組み立て体１１９の前方向の移動が結果としてツメ・グリップの前方向でかつツメ用バネの推進力に逆らう下方向への枢動につながり、それによってストラップをツメ・グリップ１２４から開放するように形状を定められる。その結果、ツメ組み立て体１１９はストラップ１７に相対して経線方向で前方向に平行移動することでその後にストラップのさらなる引っ張りのためにツメ・グリップ１２４の歯１２７によって掴むことが可能となる。
【００３１】
張力と抗反跳の機構１０は、引き棒９２が引き棒バネを通って延びるようにカッター・アクチュエータ７０の送り溝７２内に配置されたコイルバネから成る引き棒バネ１３２を有する。引き棒バネ１３２は、前部止めワッシャ９４の中央部分９８とツメ保持器１２１の間で圧縮されることで前部止めワッシャに相対した後方への移動に抵抗する。付け加えると、引き棒バネ１３２が前部止めワッシャ９４を後ろ方向へと推進し、それにより、カッター・アクチュエータ７０によって止めワッシャが後方へと動かされるときに中央部分９８がキー１０６の周りで後方に枢動させられる。前部止めワッシャ９４のそのような枢動はそれに対応する後部止めワッシャ９６の枢動を生じさせ、結果として中央部分１００がキー１０８の周りで後方に枢動することにつながる。
【００３２】
張力と抗反跳の機構１０はカッター・ブラケット１３６とノーズ・ブラケット１３８を含むカッター機構１３４を有する。カッター・ブラケット１３６は概してその前端部に隣接する送り溝７２のそれぞれの側部の間に配置され、それにより、カッター機構１３４がツメ組み立て体１１９の前方になる。ノーズ・ブラケット１３８は概してその前端部に隣接する送り溝７２のそれぞれの側部の外方向に配置され、それにより、ノーズ・ブラケットはカッター・ブラケット１３６と概して同じ経線方向位置を有する。カッターおよびノーズのブラケット１３６、１３８は、カッターおよびノーズのブラケット１３６、１３８をカッター・アクチュエータ７０の前端部に経線方向で固定するために送り溝７２のそれぞれの側部内のカッター通路７６を通って延びる横断ピン１４０によってピボット式に支持される。
【００３３】
カッター機構１３４は、ピン１４０の周りでのカッター・ブラケットの枢動が下側の開位置と上側の閉位置の間の概して垂直方向の刃の平行移動を生じさせるようにカッター・ブラケット１３６の上に装着された刃１４２を有する。刃１４２の上側エッジは切断用エッジを規定し、それにより、閉位置への刃の平行移動が結果的にケーブル・タイ１５のストラップ１７の余剰部分の切断につながる。刃１４２の開位置への平行移動はカッター機構１３４の中へのケーブル・タイ１５のストラップ１７の挿入を可能にする。刃１４２の開および閉の位置の範例は米国特許第５，９１５，４２５号の８欄２０行目から２８行目、および図１０、１１、および１２に開示されている。
【００３４】
張力と抗反跳の機構１０は、送り溝７２を通って延び、かつ経線方向の凹部８７内で床面に据え付けられる細長のカッター・アーム１４７を有する。カッター・アーム１４７は前方および中間の部分１４９、１５１を有し、前方の部分１４９が中間の部分１５１よりも幅広である。カッター・アーム１４７の前方部分１４９は溝１５３を有する。
【００３５】
カッター・アーム１４７は中間部分１５１から後方に延びる脚部１５５を有する。脚部１５５の端部は、図６に示されるように、それに相対してカッター・アーム１４７を経線方向で固定するために送り溝７２の床面の溝を通り抜けて前部リング８５内の環状の凹部８６の中へと下方向に延びる。脚部１５５の経線方向の寸法は床面溝７５のそれよりも短く、それにより、そこを通る脚部の延長が調節器グリップ５０に相対したカッター・アクチュエータ７０の経線方向の平行移動を妨げることはない。
【００３６】
カッター機構１３４は、カッター機構１３４のカッター・ブラケット１３６から垂下し、かつその前端部に隣接するカッター・アーム１４７内の溝１５３の中に延びる細長のカッター連接棒１５７を有する。カッター・アーム１４７へのカッター・ブラケット１３６のこの結合は結果として、カッター・アクチュエータ７０がカッター・アームに相対して後方に平行移動させられるときにカッター・ブラケットの上方への枢動につながる。カッター・ブラケット１３６のそのような上方への枢動は刃１４２のその閉位置に向かう上方への平行移動を生じさせる。刃１４２の移動とカッター・アクチュエータ７０の相対的平行移動の間のこの関係の範例は米国特許第５，９１５，４２５号の８欄２０行目から２８行目、および９欄４１行目から５１行目、および図７、７ａ、１１、および１２に開示されている。
【００３７】
張力と抗反跳の機構１０はスナップ嵌合によって引き棒９２に接続される前部キャップ１５９を有する。後部キャップ１６１は、図６に示されるように、後部キャップの前端部が前部キャップ１５９の上側表面に接触するようにスナップ嵌合によってカッター・アクチュエータ７０へと接続される。前部と後部のキャップ１５９、１６１の間のこの接触は、カッター・アクチュエータ７０に相対して引き棒９２が経線方向に平行移動させられるときに後部キャップに相対した前部キャップの経線方向の平行移動を可能にする。そのような相対的平行移動の間では、前部キャップ１５９の後ろ部分は後部キャップ１６１の下にある。
【００３８】
張力と抗反跳の機構１０は、図６、７、および９に示されるように調節器グリップ５０の後部に同軸の関係で配置された後部ハウジング・リング１６４を有する。ハウジング・リング１６４はその前部でリングの外側表面に正接する関係で隣接する横断通路１６６を有する。ハウジング・リング１６４は、横断通路１６６と環状の凹部５５の経線方向の位置が一致するように調節器グリップ５０と経線方向で位置合わせされる。調節器グリップ５０に相対したハウジング・リング１６４の経線方向の平行移動を阻止するために横断ピン１６８が通路１６６を通して挿入される。凹部５５の連続性が理由で、凹部５５を通るピン１６８のそのような挿入がハウジング・リング１６４に相対した調節器グリップ５０の回転を妨げることはない。
【００３９】
後部ハウジング・リング１６４は、図９に示されるように、直径方向で反対側にある一対の横方向の突起１７０をその外側表面上に有する。横方向突起１７０はテーパーの付いた部分を有し、その垂直方向の径は後方に向かって小さくなる。外筒に相対したハウジング・リングの回転を防止するため、横方向突起１７０はハウジング・リング１６４が挿入されると外筒２７の内側表面にある対応する凹部に嵌合する。
【００４０】
後部ハウジング・リング１６４は直径方向で反対側にある一対のアーム１７２を有し、それらの各々がリングの後部エッジから後ろ方向に延びる。アーム１７２は各々後端部分を有し、それらの外側表面はフック構造体１７４を有する。
【００４１】
張力と抗反跳の機構１０は前部バネ支持体１７９を有し、図６、７、および９に示されるようにそれを通ってカッター・アクチュエータ７０の後部７９が延びる。バネ支持体１７９は経線方向でカッター・アクチュエータ７０に固定される。バネ支持体１７９とカッター・アクチュエータ７０の間の接続はカッター・アクチュエータに相対したバネ支持体の回転を可能にする。バネ支持体１７９は面取りされている前部エッジ１８１を有する。前部エッジ１８１の後部に向かうバネ支持体１７９の外側表面は、凹部、平坦部、および経線方向に延びる上側、下側、および横方向部分１８３を有する。
【００４２】
張力と抗反跳の機構１０は、図６および７に示されるように、調節器グリップ５０の中で経線方向に位置決めされた４枚の経線方向のブレード・スプリング１８６を含む張力制限機構１７７を有する。ブレード・スプリング１８６の各々は前端部と後端部１８８、１９０を有する。前端部１８８の各々はそれに対応するバネ支持体１７９の部分１８３内に支持される。
【００４３】
張力制限機構１７７は後部バネ支持体１９２を有し、図６、７、および９に示されるようにそれを通ってカッター・アクチュエータ７０が延びる。バネ支持体１９２は経線方向に、かつ回転可能に後部ハウジング・リング１６４に固定される。バネ支持体１９２は、前方に向く後部エッジ１９４を確立するために前部のそれよりも大きい断面を有する後部を有する。後部エッジ１９４の前部に向かうバネ支持体１９２の外側表面は、凹部、平坦部、および経線方向に延びる上側、下側、および横方向部分１９６を有する。
【００４４】
ブレード・スプリング１８６の後端部１９０の各々はそれに対応するバネ支持体１９２の部分１９６内に支持され、それにより、抗端部１９０が後部エッジ１９４に隣接する。この隣接はバネ支持体１９２に相対したブレード・スプリング１８６の後方への移動を阻止する。結果としてブレード・スプリング１８６は、ブレード・スプリングに相対した前部バネ支持体１７９の後方への平行移動による後方への移動を防止される。カッター・アクチュエータ７０の後方への平行移動から結果的に生じかねない前部バネ支持体１７９のそのような後方への平行移動は、前部エッジ１８１がブレード・スプリング１８６の前端部１８８に係合する結果につながる。そのような係合は、前部エッジ１８１がその面取りに起因して前端部１８８を外方向にそらせる結果につながり、それにより、前部エッジ１８１は前端部１８８に相対して半径方向内側に位置することになる。
【００４５】
張力制限機構１６４は、図６に示されるように調節器グリップ５０の中に同軸の関係で配置される調節器リング１９９をさらに有する。調節器リング１９９は直径方向に反対側で開口２０５、２０７を有し、それを通ってそれぞれピン２０１、２０３が延びる。上側および下側のピン２０１、２０３はまた、調節器リング１９９を調節器グリップ５０へと連結するためにそれぞれのコイルバネ５６、５８の中へと延びる。この連結が調節器グリップ５０の回転を提供することでそれに相対した調節器リング１９９の経線方向の平行移動を作り出す。調節器リング１９９は直径方向に反対側で一対の横方向凹部をその後部エッジに有する。
【００４６】
張力制限機構１６４はさらに、それに対する横断方向でブレード・スプリング１８６を包囲する制御リング２０９を有する。制御リング２０９はブレード・スプリング１８６に相対して経線方向に動かされることが可能である。この経線方向の移動は調節器リング１９９への制御リング２０９の接続によって制御される。この接続は、図９に示されるように、制御リング２０９から外方向に延びる横方向の耳片２１１によって提供される。横方向の耳片２１１は調節器リング１９９内でそれらに対応する横方向の凹部２０８に固定される。これは結果的に、調節器リング１９９の経線方向の移動がそれに対応する制御リング２０９の経線方向の移動を作り出すことにつながる。調節器リング１９９のそのような移動は調節器グリップ５０の回転によって提供され、それらの間の結合は上側および下側のピン２０１、２０３によって提供される。
【００４７】
ブレード・スプリング１８６に対する制御リング２０９の係合は、係合の前部に向かうブレード・スプリングの部分が偏向を受けることが可能な支点２１３としてそれぞれの係合を確立するために十分な内方向の力を有する。それゆえに、対応する制御リング１９９の経線方向の移動で作り出される制御リング２０９の経線方向の移動によってそれぞれの支点２１３はブレード・スプリング１８６に相対して経線方向に動かされる。結果として、上側と下側のピン２１０、２０３によって提供される両者の間の結合に起因して対応する制御リング１９９の経線方向の移動を作り出す調節器グリップ５０の回転は、対応する支点２１３の前部に向かうブレード・スプリング１８６のそれぞれの部分の偏向に対する抵抗を変化させるであろうが、なぜならばそのような抵抗は支点がそれに対応するブレード・スプリングの前部に向かって経線方向に動かされると増大するからである。
【００４８】
張力と抗反跳の機構１０は上側および下側の指標ピン２１５、２１７を有し、それらは後部ハウジング・リング１６４内のそれぞれの開口を通ってカッター・アクチュエータ７０のスプライン８１間の経線方向の凹部の中へと延びる。ピン２１５、２１７のそのような延長は後部ハウジング・リング１６４に相対したカッター・アクチュエータ７０の相対的回転を防止する。ピン２１５、２１７は、カッター・アクチュエータ７０に対する十分な回転力の印加がそれらのピンをスプライン８１間の経線方向の凹部から引き出させてカッター・アクチュエータの回転を可能にする程度にバネ荷重される。回転力が取り除かれると、カッター・アクチュエータ７０のさらなる回転を防止するためにピン２１５、２１７のバネ荷重がピンをスプライン８１間の経線方向の凹部の中へと押し込む。
【００４９】
引き棒９２の後部は、横断方向ヨーク・ウェブ２２２およびヨーク・ウェブから後方に延びる一対のヨーク・フランジ２２４を有する引き棒ヨーク２２０へと圧入される。引き棒ヨーク２２０の後部はヨーク・フランジ２２４の間に延びる引き棒ピン２２６によって塞がれる。図６および７に示されるように移動止めが引き棒ピン２２６の前部になり、したがって引き棒９２に相対して経線方向に固定されるように引き棒ヨーク２２０の中に連接棒３７の移動止め４７が挿入される。したがって、連接棒３７が方向４３、４５に枢動させられると引き棒９２はツール・ハンドル２２に相対して軸方向に動かされる。
【００５０】
操作時では、アクチュエータ・バネ９０がカッター・アクチュエータ７０を調節器グリップ５０に相対して前方向に推進することを可能にするように引き金機構３５が開放され、それにより、キー窓７４の後部エッジが後部止めワッシャ９６のキー１０８に係合してその中央部分１００を平行移動させ、前部止めワッシャ９４の中央部分９８と係合させる。カッター・アクチュエータ７０のそのような前方への挿入を続けることは、前部止めワッシャ９４のキー１０６の外側部分が前部リング８５の後端部に向けて押し付けられる原因となり、その結果、前部および後部の止めワッシャ９４、９６がキー窓７４の周りで開放の位置１１４、１１６へと枢動させられる。結果として、止めワッシャ９４、９６の中央部分９８、１００はカッター・アクチュエータ７０の経線方向の軸に相対して直角の配向を有し、それにより、止めワッシャの開口１０２、１０４と引き棒９２の間に十分な半径方向の隙間が確立されることで止めワッシャに相対した経線方向の引き棒の移動を可能にする。
【００５１】
ケーブル・タイ・ツール１２によってケーブル・タイに加えられる最大張力を設定するために調節器グリップ５０はその経線方向の軸の周りで外筒２７に相対して回されることが可能である。調節器グリップ５０のそのような回転は対応するブレード・スプリング１８６のそれぞれの支点２１３を経線方向で移動させる。
【００５２】
引き金機構３５は、連接棒３７が開の位置に向けて方向５２で枢動させられるように枢動させられる。これが移動止め４７を前方へと平行移動させ、引き棒ヨーク２２０との結合を通じて引き棒９２を前方へと移動させる。これが今度は逆にツメ保持器１２１を前方へと移動させ、それがツメ・グリップ１２４を開の位置へと枢動させるが、その範例は米国特許第５，９１５，４２５号の８欄３行目から１９行目、および図７、７ａ、および７ｂに開示されている。
【００５３】
ケーブル・タイ１５は、ストラップの端部がヘッドの後ろになるようにケーブル・タイのヘッド２０を通してノーズ・ブラケット１３８の前へとストラップが挿入された後にそのストラップ１７の端部を位置決めすることによって引っ張りのために位置決めされる。ストラップ１７の端部は、例えば米国特許第５，９１５，４２５号の図１０に示されるように、ノーズ・ブラケット１３８の上側エッジおよび刃１４２の上を横切ってツメ保持器１２１に入るように後ろ方向へと動かされる。ストラップ１７は、例えば米国特許第５，９１５，４２５号の図１０に示されるように、ケーブル・タイ１５のヘッド２０がノーズ・ブラケット１３８の前端部と概して隣接する関係を有するように十分にツメ保持器１２１の中へ挿入される。
【００５４】
その後、引き金機構３５とグリップ２５が使用者の手の指と手のひらとの間に握られて絞られ、連接棒３７を閉の位置に向けて方向５４で枢動させる。これが今度は逆に、引き棒ヨーク２２０との結合を通じて引き棒９２を後方へと移動させる移動止め４７の後方への移動を生じさせる。
【００５５】
引き棒９２の後方への移動は、それによって圧縮される引き棒バネ１３２による抵抗を受ける。引き棒９２の後方への移動は結果として、引き棒の前端部に接続されたツメ保持器１２１がノーズ・ブラケット１３８に相対して後方へと動かされることにつながる。これは、例えば米国特許第５，９１５，４２５号の図７ａおよび７ｂに開示されるようにツメ・グリップ１２４を閉の位置へと枢動させ、その結果、ストラップ１７が掴まれ、したがってツメ組み立て体１１９に経線方向で固定される。
【００５６】
引き金機構３５を絞る動作が続けられるとツメ組み立て体１１９およびそこに掴まれたストラップ１７の後方への経線方向の移動を生じさせる。これは結果として、ツメ組み立て体１１９によって掴まれるストラップ１７の部分が後方へと引き込まれてノーズ・ブラケット１３８の前面と密に係合することにつながる。ストラップ１７のこの部分の後方への移動を続けることが前部溝７２を通してストラップを後方へと引き込み、したがってツメ組み立て体１１９の前方にあるストラップ部分での張力が増大する。
【００５７】
ストラップ１７内の張力を必要な量へと上げるために、グリップ２５に向けた引き金機構３５の一連の完全な枢動が必要とされる可能性がある。引き金機構３５のそのような枢動の各々は結果として、それに取り付けられた引き棒９２とツメ組み立て体１１９が完全な量で後方へと移動することにつながる。各々のそのような移動の後に、使用者は引き金機構３５を開放して引き棒バネ１３２が引き棒９２を前方へと推進することを可能にする。これは結果として、ツメ・グリップ１２４がケーブル・タイ１５のストラップ１７を開放してツメ組み立て体１１９が送り溝７２に相対して前方へと平行移動することを可能にし、その一方でストラップ１７が概して静止してその場に残ることにつながる。引き棒９２は引き棒バネ１３２によってその前方の位置へと戻され、それにより、ストラップ１７内の張力をさらに上げるために再度閉じられることが可能な開の位置へと引き金機構３５を戻す。
【００５８】
引き金機構３５の繰り返しの閉動作と開動作によって作り出されるケーブル・タイ１５のストラップ１７の引っ張りは張力と抗反跳の機構１０によって制限される。さらに特定すると、引き棒９２によってケーブル・タイ１５のストラップ１７に加えられる張力はまた、ツメ組み立て体１１９とヘッド２０の前方にあるストラップ部分を通じてノーズ・ブラケット１３８にも加えられる。したがって、ケーブル・タイ１５を引っ張ることは結果として、ノーズ・ブラケット１３８に加えられる後方への力につながり、それが今度は逆に調節器グリップ５０とツール・ハンドル２２に相対したカッター・アクチュエータ７０の後方への移動を推進する。この相対的な移動は前部バネ支持体１８１の前部エッジ１８１とブレード・スプリング１８６の前端部１８８との係合によって抵抗を受ける。前部エッジ１８１が前端部１８８の後ろへ移動させられれば、さらなる後方への移動はブレード・スプリングの外方向への偏向の増大を必要とするので前部エッジ１８１のそのようなさらなる後方への移動はブレード・スプリングの剛性によって抵抗を受ける。
【００５９】
引き棒９２によってケーブル・タイ１５に加えられる張力から結果的に生じ、ノーズ・ブラケット１３８によってカッター・アクチュエータ７０に加えられる後方への力がブレード・スプリング１８６の抵抗に打ち勝つために十分でなければ、前部エッジ１８１は前端部１８８の前に留まり、カッター・アクチュエータ７０は調節器グリップ５０とツール・ハンドル２２に相対して後方に動かされることはない。それゆえに、引き棒９２によってケーブル・タイ１５に加えられる張力は結果としてノーズ・ブラケット１３８に相対したツメ組み立て体１１９の後方への移動につながり、したがってツメ組み立て体の前方にあるストラップ１７の部分での張力を増大させる。
【００６０】
ツメ組み立て体１１９の前方にあるストラップ１７の部分での張力が増大すると、ストラップはツメ組み立て体のさらなる後方への移動にますます抵抗する。その結果、引き金機構３５をグリップ２５に向けて枢動させるために使用者の手によってさらに大きな力が加えられなければならず、それは結果としてさらに大きな力が引き棒９２を後ろ方向へと推進することにつながる。普通、この力は最終的にはブレード・スプリング１８６の抵抗に打ち勝つのに十分なほどに大きくなる。結果として、前部エッジ１８１が後方へと動かされ、それによってブレード・スプリング１８６を外方向へと偏向させ、その結果、前部バネ支持体１７９およびそれに接続されたカッター・アクチュエータ７０が調節器グリップ５０とツール・ハンドル２２に相対して後方へと平行移動する。ブレード・スプリング１８６の外方向への偏向は傾斜台の効果を有する前部エッジ１８１の面取り部によって容易にされる。こうして、或る限界を超えた引き棒９２に対する後方への力の適用は結果としてノーズ・ブラケット１３８に相対したツメ組み立て体１１９の後方への移動ではなくカッター・アクチュエータ７０の後方への相対的平行移動につながるであろうから、ブレード・スプリング１８６によって与えられる抵抗はケーブル・タイ１５の引っ張りを制限する。
【００６１】
調節器グリップ５０に相対したカッター・アクチュエータ７０の後方への平行移動は結果として前部リング８５から離れるカッター・アクチュエータの後方への平行移動につながり、止めワッシャ９４、９６の作動を生じさせる。さらに特定すると、カッター・アクチュエータ７０の後方への平行移動は結果としてキー窓７４の前部エッジが前部止めワッシャ９４のキー１０６に係合してそれを運ばせることにつながり、かつそれに対応して止めワッシャ９４を調節器グリップ５０に相対して経線方向で固定される前部リング８５から離して後方へと平行移動させる。前部止めワッシャ９４のそのような後方への移動は結果としてそれに対応する後部止めワッシャ９６の後方への移動につながる。
【００６２】
止めワッシャ９４、９６のそのような後方への平行移動の間に、前部止めワッシャ９４の中央部分９８はカッター・アクチュエータ７０に相対して中央部分９８を後方へと推進する引き棒バネ１３２の力を受ける。引き棒バネ１３２によるそのような推進は結果として前部止めワッシャ９４をキー１０６の周りで枢動させることにつながる。前部止めワッシャ９４のそのような枢動はそれに対応する後部止めワッシャ９６のキー１０８の周りでの枢動を生じさせる。結果として、止めワッシャ９４、９６の中央部分９８、１００はカッター・アクチュエータ７０の経線方向の軸に相対して傾斜状態になる。中央部分９８、１００のこれらの傾斜姿勢はそれらと引き棒９２との係合を生じさせ、そこではそのような係合は十分な力を有し、それにより、中央部分が摩擦で引き棒に係止される。そのような係止は止めワッシャ９４、９６に相対した引き棒９２の後方への移動を阻止する。後部止めワッシャ９６のキー１０８とキー窓７４の後部エッジとの係合、および前部止めワッシャ９４による後部止めワッシャの係合が理由で、止めワッシャはカッター・アクチュエータ７０に相対したさらなる後方への移動を防止される。その結果、引き棒９２への摩擦による中央部分９８、１００の係止がカッター・アクチュエータ７０に相対した移動を防止し、かつカッター・アクチュエータ７０に相対して引き棒９２を後ろ方向に係止する。
【００６３】
後ろ方向での引き棒９２の係止は結果として、止めワッシャ９４、９６が引き棒とカッター・アクチュエータ７０の間の結合を提供することにつながり、それにより、連続的なそれらの後方への移動がカッター・アクチュエータの後方への移動を生じさせる。この結合は、引っ張られたケーブル・タイ１５によって供給される引き棒９２とカッター・アクチュエータ７０の間の結合に実質的に取って代わる。引っ張られたケーブル・タイ１５は調節器グリップ５０および前部リング８５に相対したカッター・アクチュエータ７０の初期の後方への移動を可能にし、それは結果として止めワッシャ９４、９６の事前の枢動につながる。これは、ケーブル・タイ１５のストラップ１７がカッター機構１３４によって切断されるときの引き棒９２および引き金機構３５の反跳を軽減する。
【００６４】
調節器グリップ５０に相対した引き棒９２、止めワッシャ９４、９６、およびカッター・アクチュエータ７０の連続的な後方への移動は結果としてカッター・アーム１４７に相対したカッター・ブラケット１３６の後方への移動につながる。この相対的な移動は、図６に示されるように、カッター・ブラケット１３６がピン１４０によってカッター・アクチュエータ７０に経線方向で固定され、かつカッター・アーム１４７が前部リング８５の凹部８６内に挿入されることから結果的に生じる。この相対的な移動は結果としてカッター・ブラケット１３６の上方への枢動につながるが、これはカッター連接棒１５７によって提供されるカッター・アーム１４７へのそれの結合のせいである。カッター・ブラケット１３８のそのような上方への枢動はカッター刃１４２の上方への移動を作り出し、それが切断用エッジ１４４の上でノーズ・ブラケット１３８を通って延びるケーブル・タイ１５のストラップ１７を切断する。
【００６５】
ストラップ１７の切断から結果的に生じる可能性のある反跳は張力と抗反跳の機構１０によって実質的に取り除かれる。対照的に、反跳は張力と抗反跳の機構１０が無いと、ストラップ１７の切断は結果としてストラップ１７が掴まれるツメ組み立て体１１９、およびツメ組み立て体に接続される引き棒９２の後方への移動に逆らう力の突然かつ大幅な減少につながる可能性がある。通常、抵抗力のそのような突然かつ大幅な減少は結果として使用者の手の指と手のひらの間の引き金機構３５とグリップ２５の閉動作に逆らう力の突然かつ大幅な減少につながり、それはケーブル・タイ・ツール１２の突然かつ大幅な反跳が使用者によって経験される原因となる。引き棒９２の後方への移動がケーブル・タイ１５によって供給される結合を通じてそれに対応するカッター・アクチュエータ７０の後方への移動を作り出すならば、通常はそのような反跳が結果的に生じる。
【００６６】
ストラップ１７の切断が、引き棒９２の後方への移動に逆らう力の突然かつ大幅な減少に結果的につながらないので、ストラップ１７の切断から結果的に生じる可能性のある反跳は張力と抗反跳の機構１０によって実質的に取り除かれる。反跳のこの実質的な除去は、引き棒９２の後方への移動に抵抗する力がカッター・アクチュエータ７０と調節器グリップ５０の間でカッター・アクチュエータ・バネ９０によって与えられることから結果的に生じる。また、引き棒９２とカッター・アクチュエータ７０の間の結合は、引っ張られるケーブル・タイ１５ではなく、張力と抗反跳の機構１０の止めワッシャ９４、９６と引き棒９２の間の傾斜係合および摩擦係止によって提供される。
【００６７】
カッター機構１３４によるストラップ１７の切断の後、使用者の手が引き金機構３５を開放してグリップ２５から遠ざかるその枢動を可能にする。そのような枢動は、カッター・アクチュエータ・バネ９０の推進から結果的に生じる調節器グリップ５０に相対したカッター・アクチュエータ７０の前方への移動によって引き起こされる。カッター・アクチュエータ７０のそのような移動は、キー窓７４の後部エッジが後部止めワッシャ９６のキー１０８を前方に運んで前部止めワッシャ９４のキー１０６と強制的な係合をさせる原因となる。それにより、キー１０６は前方へと運ばれて前部リング８５の後部エッジと強制的な係合をさせられる。これは結果として止めワッシャ９４、９６の中央部分９８、１００がそれぞれキー１０６、１０８の周りで引き棒９２の経線方向軸に相対して傾斜した配向から直角の配向へと枢動することにつながる。そのような枢動はキー１０６、１０８がキー窓７４の後部エッジと前部リング８５の後部エッジの間で引き棒９２の経線方向軸に相対して強制的に直角の配向にされることから結果的に生じる。傾斜配向から直角配向への中央部分９８、１００の枢動は中央部分９８、１００と引き棒９２の間の摩擦係止を開放し、止めワッシャ９４、９６に相対した引き棒の経線方向の移動を可能にする。また、傾斜配向から直角配向への中央部分９８、１００のそのような枢動は引き棒バネ１３２による抵抗を受ける。それにより、ツメ組み立て体１１９とカッター・アクチュエータ７０が引き棒バネ１３２およびカッター・アクチュエータ・バネ９０によって、カッター・アクチュエータおよび調節器グリップ５０に相対してそれらの最も前方の位置へとそれぞれ戻される。それにより、ケーブル・タイ・ツール１２は新たなケーブル・タイ１５のストラップ１７を挿入して引っ張り、切断するための準備を整えられる。
【００６８】
張力と抗反跳の機構１０は、その機構の大部分の自動化された機能を提供し、それにより、必要とされる使用者の操作を単純化してケーブル・タイ・ツール１２の使用法を容易にする。
【００６９】
図９に示されるように、張力と抗反跳の機構１０は２つの止めワッシャ９４、９６および４枚のブレード・スプリング１８６を有する。そのような張力と抗反跳の機構１０はケーブル・タイ１５内の張力を１２０ポンドに制限する。場合によっては、張力と抗反跳の機構１０は単一の９４または９６のような止めワッシャ、およびケーブル・タイ１５内の張力を５０ポンドに制限するための２枚のブレード・スプリング１８６を含むことも可能である。
【００７０】
ケーブル・タイ・ツールの別の選択肢の実施形態１２ａが図１０から１８に示されている。図１０から１４、および１６から１８はそれぞれ図１から７に相当する図である。図１から７に示された部品に相当する図１０から１４、および１６から１８に示された部品は図１から７と同じ参照番号を有し、図１０から１４、および１６から１８では添え字「ａ」の追加を伴う。張力と抗反跳の機構１０ａは図１から７に示された張力と抗反跳の機構１０と概して同じである。図１０から１４に示されるツール・ハンドル２２ａは図１０から１２、１６および１８に示されるように引き金機構２２８を有する。
【００７１】
ケーブル・タイ・ツールのさらに別の選択肢となる実施形態１２ｂが図１９から３３に示されている。図１９から２２、２６、および２４はそれぞれ図１から７に相当する。図２８は図８および９の図に相当する図である。図１から７、８、および９に示された部品に相当する図１９から３３に示された部品は図１から７、８、および９と同じ参照番号を有し、図１９から３３では添え字「ｂ」の追加を伴う。図１９、２０、２３、２６、および２８に示されたツール・ハンドル２２ａは図１から３、６、および８に示されたツール・ハンドル２２と概して同じである。概して、図１９から３３に示された張力と抗反跳の機構１０ｂは張力と抗反跳の機構１０に相当する。張力と抗反跳の機構１０ｂはいくつかの箇所で張力と抗反跳の機構１０とは異なる。例えば、張力と抗反跳の機構１０はカッター・アクチュエータ７０を有し、それに向かって横断方向の力がブレード・スプリング１８６によって方向付けられる。それに対応する横断方向の力は張力と抗反跳の機構１０ｂのカッター・アクチュエータ７０ｂに向かって方向付けられる。しかしながら、カッター・アクチュエータ７０ｂに向かって方向付けられる横断方向の力はリーフ・スプリング２３２によって作り出される。
【００７２】
張力と抗反跳の機構１０、１０ｂの間の別の違いは、ブレード・スプリング１８６およびリーフ・スプリング２３２のそれぞれの支点を経線方向に移動させるための機構である。張力と抗反跳の機構１０内の支点のそのような移動は制御リング２０９によって供給される。張力と抗反跳の機構１０ｂは一対のアーチ型部材２３４を有し、それらはリーフ・スプリング２３２に相対して傾けられている。アーチ型部材２３４はリング２３６に固定され、リーフ・スプリング２３２に向けて強制的に内方向に向けられて支点２１３ｂを規定する。リング２３６の回転が支点２１３ｂの経線方向の移動を提供する。
【００７３】
１９９９年６月２９日に発行された米国特許第５，９１５，４２５号の全開示は本明細書に参照で組み入れられる。２００３年７月７日に米国特許商標局に提出された米国特許出願番号１０／６１４，４３５号、２００３年７月７日に米国特許商標局に提出された米国特許出願番号２９／１８５，９８５号、および２００３年７月７日に米国特許商標局に提出された米国特許出願番号２９／１８５，９８６号の全開示は各々本明細書に参照で組み入れられる。２００４年２月１３日に米国特許商標局に提出された米国特許仮出願番号６０／５４４，３６１号、２００４年２月１３日に米国特許商標局に提出された米国特許仮出願番号６０／５４４，３６２号、２００４年２月１３日に米国特許商標局に提出された米国特許仮出願番号６０／５４４，４７２号、の全開示は各々本明細書に参照で組み入れられる。本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｌｄｉｎｇを有し、代理人整理番号５７７−６０９で特定される「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願の全開示は各々本明細書に参照で組み入れられる。本出願と同じ日付けで米国特許商標局に提出された発明者Ｊｏｅｙ  Ｄ．Ｍａｇｎｏ，Ｊｒ．を有し、代理人整理番号５７７−６３０で特定される「Ｃｙｃｌｅ  Ｃｏｕｎｔｅｒ  ｆｏｒ  Ｃａｂｌｅ  Ｔｉｅ  Ｔｏｏｌ」という名称の米国特許出願の全開示は各々本明細書に参照で組み入れられる。
【００７４】
特定の好ましい実施形態を参照して本発明が述べられてきたが、説明された本発明の概念の精神および範囲の中で数多くの変形例が為され得ることは理解されるはずである。したがって、本発明が開示された実施形態に限定されることなく、添付の特許請求項の文言によって許容される完全な範囲を有することが意図される。
【図面の簡単な説明】
【００７５】
【図１】本発明の張力と抗反跳の機構を示す正面透視図であって、この機構はケーブル・タイ・ツールのツール・ハンドルに接続されて示されている。
【図２】図１の張力と抗反跳の機構を示す背面透視図であって、この機構はツール・ハンドルに接続されて示されている。
【図３】図１の張力と抗反跳の機構およびツール・ハンドルを示す側面図である。
【図４】図３の張力と抗反跳の機構およびツール・ハンドルを示す平面図である。
【図５】図３の張力と抗反跳の機構およびツール・ハンドルを示す正面図である。
【図６】図４の線６−６によって示される平面の断面図であって、張力と抗反跳の機構の中に配置された部品類およびツール・ハンドルの中に配置された連結を示している。
【図７】図６の線７−７によって示される平面の断面図であって、張力と抗反跳の機構およびツール・ハンドルの中に配置された部品類を示している。
【図８】図１のツール・ハンドルの拡大図であって、ツール・ハンドルの中に配置された連結を示している。
【図９】図１の張力と抗反跳の機構の拡大図である。
【図１０】本発明の張力と抗反跳の機構を示す正面透視図であって、この機構はケーブル・タイ・ツールのツール・ハンドルの別の選択肢となる第２の実施形態に接続されて示されている。
【図１１】図１０の張力と抗反跳の機構およびツール・ハンドルを示す背面透視図である。
【図１２】図１０の張力と抗反跳の機構およびツール・ハンドルを示す側面図である。
【図１３】図１２の張力と抗反跳の機構およびツール・ハンドルを示す平面図である。
【図１４】図１２の張力と抗反跳の機構およびツール・ハンドルを示す正面図である。
【図１５】図１２の張力と抗反跳の機構およびツール・ハンドルを示す背面図である。
【図１６】図１３の線１６−１６によって示される平面の断面図であって、張力と抗反跳の機構の中に配置された部品類およびツール・ハンドルの中に配置された連結を示している。
【図１７】図１６の線１７−１７によって示される平面の断面図であって、張力と抗反跳の機構およびツール・ハンドルの中に配置された部品類を示している。
【図１８】図１０のツール・ハンドルの拡大図であって、ツール・ハンドルの中に配置された連結を示している。
【図１９】本発明の別の選択肢となる第２の実施形態の張力と抗反跳の機構を示す正面透視図であって、この機構はケーブル・タイ・ツールのツール・ハンドルに接続されて示されている。
【図２０】図１９の張力と抗反跳の機構およびツール・ハンドルを示す側面図である。
【図２１】図２０の張力と抗反跳の機構およびツール・ハンドルを示す平面図である。
【図２２】図２０の張力と抗反跳の機構およびツール・ハンドルを示す正面図である。
【図２３】図１９の張力と抗反跳の機構およびツール・ハンドルを示す側面図であって、内部の部品類を示すために張力と抗反跳の機構およびツール・ハンドルが透明に示されている。
【図２４】図２３の線２４−２４によって示される平面の断面図であって、張力と抗反跳の機構およびツール・ハンドルの中の部品類を示している。
【図２５】図２３の線２５−２５によって示される平面の部分的断面による正面図であって、張力と抗反跳の機構およびツール・ハンドルの中の部品類を示している。
【図２６】図２１の線２６−２６によって示される平面の断面図であって、張力と抗反跳の機構およびツール・ハンドルの中の部品類を示している。
【図２７】図２４の円の部分の拡大図であって、カッター・アクチュエータに相対した引き棒の移動を可能にするように前部リングと隣接した止めワッシャを示している。
【図２８】図１９の張力と抗反跳の機構、引き金機構、およびグリップと外筒の左側を示す拡大図であって、張力と抗反跳の機構およびツール・ハンドルの中の部品類を示している。
【図２９】図２８のカッター・アクチュエータの側部および底部を示す透視図である。
【図３０】図２８のカッター・アクチュエータの前部分の上部を示す透視図である。
【図３１】図２８のカッター・アクチュエータの中間部分の側部および上部を示す拡大透視図である。
【図３２】図２８のカッター・アクチュエータの中間部分の側部および上部を示す拡大透視図であって、図３１の側部と反対側にある側部を示している。
【図３３】図２８のラッチ機構を示す拡大透視図であって、ラッチ機構の内側表面を示している。
【図１】
0004624124.tif 000002
【図２】
0004624124.tif 000003
【図３】
0004624124.tif 000004
【図４】
0004624124.tif 000005
【図５】
0004624124.tif 000006
【図６】
0004624124.tif 000007
【図７】
0004624124.tif 000008
【図８】
0004624124.tif 000009
【図９】
0004624124.tif 000010
【図１０】
0004624124.tif 000011
【図１１】
0004624124.tif 000012
【図１２】
0004624124.tif 000013
【図１３】
0004624124.tif 000014
【図１４】
0004624124.tif 000015
【図１５】
0004624124.tif 000016
【図１６】
0004624124.tif 000017
【図１７】
0004624124.tif 000018
【図１８】
0004624124.tif 000019
【図１９】
0004624124.tif 000020
【図２０】
0004624124.tif 000021
【図２１】
0004624124.tif 000022
【図２２】
0004624124.tif 000023
【図２３】
0004624124.tif 000024
【図２４】
0004624124.tif 000025
【図２５】
0004624124.tif 000026
【図２６】
0004624124.tif 000027
【図２７】
0004624124.tif 000028
【図２８】
0004624124.tif 000029
【図２９】
0004624124.tif 000030
【図３０】
0004624124.tif 000031
【図３１】
0004624124.tif 000032
【図３２】
0004624124.tif 000033
【図３３】
0004624124.tif 000034